(57)【要約】  本発明はホッケーやフロアホッケー用スティックのようなスティックのブレードに関するものであり、スティックは本質的に細長のブレードの近傍にシャフトの連結手段を有し、ブレードは上方および下方の長手方向エッジと、第１および第２短手方向端により囲まれた第１および第２表面とからなる。第１および第２表面は、シュート面とドリブル面と、少なくとも１つの貫通孔とからなり、貫通孔はブレードの第１および第２表面の間に拡がる。孔は、球用の孔であり、地上ドリブルと空中ドリブルの双方において球用の孔が球を保持するように設置された、少なくとも１つの円の直径を有する。さらに球用の孔は、もう一方の短手方向端近くに配置され、連結手段は第１短手方向端近くに配置される。球用の孔は、シュート面とドリブル面、上方および下方の長手方向エッジおよび第２短手方向端に包囲される。本発明のブレードはドリブル時に非常に優れた球制御性能を有し、従前のものに比べ空中プレイを増やすことを容易にする。【選択図】図１
2010508887.tif 000002
【特許請求の範囲】
【請求項１】
ホッケーやフロアホッケー用スティックのようなスティックのブレードであって、
前記スティックは、シャフトへの連結手段（１９，３９）と、
本質的に細長いブレード（１０，３０）と、からなり、
前記ブレードは、
上方および下方の長手方向エッジ（１３，１４，３３，３４）と、
第１および第２短手方向端（１５，１６，３５，３６）により囲まれた第１および第２表面（１１，１２，３１，３２）と、からなり、
ここに前記第１および第２表面（１１，１２，３１，３２）は、
シュート面とドリブル面（１６，１７，３６，３７）と、少なくとも１つの貫通孔（２０，４０）とからなり、
ここに前記貫通孔（２０，４０）はブレードの第１（１０，３０）および第２表面（１１，１２，３１，３２）の間に拡がり，
前記貫通孔（１０，３０）は、球用の孔であり、
ここに前記球用の孔（１０，３０）は、
地上ドリブルと空中ドリブルの双方において前記球用の孔（１０，３０）が球を保持するように設置された、少なくとも１つの直径（Φｉ，Φｉｄ，Φｕｄ）を有し、
ここにおいて前記球用の孔（１０，３０）は、第２短手方向端（１６，３６）に近寄って配置され、前記連結手段（１９，３９）は第１短手方向端（１５，３５）近くに配置され、
これにより前記球用の孔（２０）は、前記シュート面と前記ドリブル面（１６，１７，３６，３７）、前記上方および下方の長手方向エッジ（１３，１４，３３，３４）および前記第２短手方向端（１６）により境界を定められることを特徴とするブレード。
【請求項２】
前記球用の孔（１０，３０）は、円形の断面を有し、ここに前記直径は内部直径（Φｉ）であり、前記内部直径（Φｉ）は地上ドリブルと空中ドリブルの双方において、球を保持するように適用されることを特徴とする請求項１に記載のスティック用ブレード。
【請求項３】
前記球用の孔（１０，３０）は、さらに、内部直径（Φｉｄ）を有する入口面（２１，４１）と出口直径（Φｕｄ）を有する出口面（２２，４２）とからなり、ここにおいて前記内部直径（Φｉ）は、入口面（２１，４１）と出口面（２２，４２）との間に位置し、前記内部直径（Φｉ）は、前記球用の孔（１０，３０）の前記入口直径（Φｉｄ）および前記出口直径（Φｕｄ）より小さいことを特徴とする請求項２に記載のスティック用ブレード。
【請求項４】
前記入口面（２１，４１）と前記内部直径（Φｉ）の間、および前記出口面（２２，４２）と前記内部直径（Φｉ）の間の球面は本質的に凹面であることを特徴とする請求項３に記載のスティック用ブレード。
【請求項５】
前記球用の孔（１０，３０）の前記入口面（２１，４１）および前記出口面（２２，４２）は円形であることを特徴とする請求項３または４に記載のスティック用ブレード。
【請求項６】
前記球用の孔（１０，３０）の前記入口面（２１，４１）および前記出口面（２２，４２）は前記内部直径（Φｉ）の中心点（Φｉｍｐ）から距離Ｓだけずれていることを特徴とする請求項３−５のいずれか１つに記載のスティック用ブレード。
【請求項７】
前記内部直径（Φｉ）の前記中心点（Φｉｍｐ）は、前記入口直径（Φｉｄ）および前記出口直径（Φｕｄ）の中心点（ｍｐ）より前記ブレード（１０，３０）の第１短手方向端（１５，３５）寄りに位置していることを特徴とする請求項６に記載のスティック用ブレード。
【請求項８】
前記ブレード（１０，３０）の前記第１または第２短手方向端（１５，１６，３５，３６）は、少なくともその側面の一部に沿って、前記入口面（２１，４１）および前記出口面（２２，４２）の円形に対応する湾曲を有することを特徴とする請求項５−７のいずれか１つに記載のスティック用ブレード。
【請求項９】
前記第１および第２表面（１１，１２，３１，３２）の前記シュート面とドリブル面（１６，１７，３６，３７）は、凹面形状であることを特徴とする請求項１−８のいずれか１つに記載のスティック用ブレード。
【請求項１０】
前記シュート面とドリブル面（１６，１７，３６，３７）の全体が前記球を前記球用の孔（１０，３０）に導く誘導手段として機能することを特徴とする請求項９に記載のスティック用ブレード。
【請求項１１】
前記下方の長手方向エッジ（３４）はその全長の少なくとも一部で溝（４３）を有することを特徴とする請求項１−１０のいずれか１つに記載のスティック用ブレード。
【請求項１２】
前記上方の長手方向エッジ（１３，３３）は凹面形状であり、前記下方の長手方向エッジ（１４，３４）は凸面形状を有し、前記ブレード（１０，３０）は本質的に細長い曲がった形状を有することを特徴とする請求項１−１１のいずれか１つに記載のスティック用ブレード。
【請求項１３】
前記ブレード（１０，３０）はブレードの前記連結手段（１９，３９）の中に配置されたシャフトを有し、また前記シャフトはフェンダーを有することを特徴とする請求項１−１２のいずれか１つに記載のスティック用ブレード。
【請求項１４】
球は、前記球用の孔（１０，３０）が前記球に適応している、前記ブレード（１０，３０）に伴われていることを特徴とする請求項１−１３のいずれか１つに記載のスティック用ブレード。
【請求項１５】
前記直径は内部直径（Φｉ）であり、前記内部直径（Φｉ）は少なくとも前記球の直径の７５−９９．９％であることを特徴とする請求項１４に記載のスティック用ブレード。
【請求項１６】
前記内部直径（Φｉ）は少なくとも前記球の直径の８０−９９％であることを特徴とする請求項１５に記載のスティック用ブレード。
【請求項１７】
前記内部直径（Φｉ）は少なくとも前記球の直径の８５−９９％であることを特徴とする請求項１６に記載のスティック用ブレード。
【請求項１８】
シャフトと、連結手段（１９，３９）を介して前記シャフトと共に配置された細長のブレード（１０，３０）と、からなるスティックであって、  
前記ブレードは、
上方および下方の長手方向エッジ（１３，１４，３３，３４）と、
第１および第２短手方向端（１５，１６，３５，３６）により囲まれた第１および第２表面（１１，１２，３１，３２）と、からなり、
ここに前記第１および第２表面（１１，１２，３１，３２）は、
シュート面とドリブル面（１６，１７，３６，３７）と、少なくとも１つの貫通孔（１０，３０）とからなり、
ここに前記貫通孔はブレードの第１および第２表面（１１，１２，３１，３２）の間に拡がり，
前記貫通孔（１０，３０）は、球用の孔であり、
ここに前記球用の孔（１０，３０）は、
地上ドリブルと空中ドリブルの双方において前記球用の孔（１０，３０）が球を保持するように設置された、少なくとも１つの直径（Φｉ，Φｉｄ，Φｕｄ）を有し、
ここにおいて前記球用の孔（１０，３０）は、第１短手方向端（１６，３６）に近寄って配置され、前記連結手段（１９，３９）は第１短手方向端（１５，３６）近くに配置され、
これにより前記球用の孔（２０）は、前記シュート面と前記ドリブル面（１６，１７）と前記上方および下方の長手方向エッジ（１３，１４）と前記第２短手方向端（１６，３６）により包囲されることを特徴とするスティック。
【請求項１９】
前記球用の孔は前記球に適応している、少なくとも１つの球と、１つの請求項１８に記載のスティックからなるキット。
【発明の詳細な説明】
【技術分野】
【０００１】
本発明は、ホッケーまたはフロアホッケーのスティックのようなスティック用で、改善されたドリブルをもたらす改良型ブレードに関するものである。
【背景技術】
【０００２】
この２０−３０年スティックを使用するスポーツの大きな技術的進歩を遂げた。例えば、炭素繊維素材は軽いスティックシャフトを提供し、改良されたスティックブレードと組み合わすことができる。さらに、より軽量でかつ使用者にシャフトまわりのグリップを改善する新素材が開発中である。今日では、スティックを使用するスポーツの競技者は、最高の結果を得るためには正しい道具を使用しなければならない。
【０００３】
スティックを使用するスポーツは競技としてもまた純粋にレクレーションとしても長い間人気が有った。競技の範疇では競技者が使用を許可される道具の型および、道具の外見を規定する厳格な規則が定められてきた。規則は誰も競技中に相手に対し不公正な優位性を有しない、という安全保証となっている。フロアホッケー、ホッケーやそれに似たスポーツにおける競争を許容するため必要となった厳格な規則は一方で技術開発の均一化を招いた、つまり規則がスティックを使用するスポーツの発展を阻害してきた。
【０００４】
現在の規則の範囲内で改良スティックブレードに対する解決の１つ例が特許文献１に示されている。ここではスティックブレードはスティックシャフトに対し横面部を有し、ドリブル中に球の制御を向上させる。特許文献２ではフロアホッケー用のスティックブレードが開示されている。スティックシャフトに対し垂直に配置されたブレード上面が打撃の正確性とドリブル性能を向上させる。
【０００５】
以前の開発は重点が新しいスティック、スティックブレードおよびスティックシャフトに置かれてきた。つまり、道具のデザインに関する現在の規準の範囲内の開発であった。規則の体系と競技で使用される用具の許可を得るための背景にある大きな商業的部分により新しいスポーツが生み出されてきたがその発展と普及は困難を伴っている。一般的に言えば、開発の方向はより軽いスティックの生産とドリブルの機会またはスティックの球制御性能を高めるためのブレードの開発に向かってきた。
【０００６】
完全な球の制御が必要な例の１つにフロアホッケーにおける「ゾロ」と呼ばれるドリブルの型がある。「ゾロ」をするためには、球をスティックブレードですくい上げ空中でスティックを球がブレードから離れないような速度と正確さで動かす必要がある。このように、熟練した選手は球を保持しながらスティックで高度な動きをすることが出来る。
ドリブルにおいては、選手はドリブル中、球を地面に触れさせること無く他の選手を抜き去ることが出来る。
【０００７】
しかし、シュートとドリブル性能は常に互いに関係している、即ち、ドリブル性能を高めるとシュート性能が犠牲になる、またはその逆である。
この開発に関する１つの事例が特許文献３にフロアホッケースティック用のブレードとして記載されている。このブレードは１つまたは２つの孔を有し、フロアホッケー球のシュート制御性能の向上とドリブル性能の向上を図っている。孔は垂直方向に伸びブレードの厚みの全体に達している。シュート時に、球はブレードの溝に沿って滑り、開示によれば、最良のシュート制御が得られる孔に到る。従って孔は、球がブレードを離れる時に、第１にそして最適に球の位置を制御するように用いられている。従ってブレードの孔は、十分な力が球からスティックに移転されるように、球の後ろである表面形状を有するように設計されている。開示されたスティックのなかでシュート性能とドリブル性能との間の妥協を図ることにより、その設計にもかかわらず、大幅にはシュート性能もドリブル性能も向上しないスティックを手に入れることとなるが、これは好ましい結果とも言える。
【０００８】
前述の規則の範囲外にいたるスティックが特許文献４に記載されている。ここでは、パドル形のゲーム孔が開示されている。パドルは中心板と、窪むか凹みを有するかの２つの周辺部から構成され、球のような発射物を受け入れる。
窪みの大きさはほぼ発射物の大きさと同じである。しかしゲーム孔は、望まれる完全な球制御を可能にしない。
更に、このようなゲーム孔は、現在の規則に範囲内にある前述のスティックとは大幅に異なっているため、スティックを使用するスポーツの競技者が採用するのは困難である。
【０００９】
本発明は前述の問題の少なくとも幾つかを解決することを目的とする。
従って、ドリブルに比較してシュート性能を向上させたブレードを開発する可能性がある。また高いドリブル性能を得るために、シュート性能に妥協しない可能性がある。
【先行技術文献】
【特許文献】
【００１０】
【特許文献１】イギリス特許  ２，３１８，０６４
【特許文献２】国際特許公報  ９７／２８８５４
【特許文献３】アメリカ特許  ５，８１０，６８４
【特許文献４】ヨーロッパ特許  ０４２７５２２
【発明の概要】
【００１１】
本発明は前述の課題の少なくとも一部と追加の課題を、ホッケーやフロアホッケー用スティックのようなスティックのブレードで、ドリブル中に球を保持する球貫通孔を有するブレードを提供することにより解決した。より詳細には、前記ブレードは本質的に細長のブレードとシャフトの連結手段を有し、上方および下方の長手方向エッジと、第１および第２短手方向端により囲まれた第１および第２表面とからなる。前記第１および第２表面は、シュート面とドリブル面と、少なくとも１つの貫通孔とからなる。前記貫通孔は地上ドリブルと空中ドリブルの双方において球を保持するように設置された、少なくとも１つの円の直径を有する。
【００１２】
本発明の好ましい実施形態によれば、ブレードのドリブル性能は地上ドリブルと空中ドリブルに固有の組合せを提供する。空中ドリブルの単純さ、即ち球とスティックで空中で非常に高度な動きをさせることが出来ることは、従来型のゴール以外に、違った形のゴール形状の使用にも本発明が適していることを示している。例えばバスケットボールの輪に似たゴールが使用可能である。本発明はブレードによる球の保持を可能にし、従来技術では不可能なような、空中ドリブルと球を種々の角度で押し出すことを可能にする。独特な空中プレイ、空中ドリブルが本発明によるブレードを使用したスティックにより可能となるが、それらはフロアホッケーのようなスポーツ向けに設定された現在の競技規則に従うブレードとスティックでは不可能であった。さらに、球用の孔は球の捕球と保持をブレードの両面でことが出来る。このように、本発明の球用の孔に球が位置している場合、ユーザは球を打つというより、球を押し出すようにすることができ、またシュート面とドリブル面は従来のようにシュート面とドリブル面として使用することが出来る。
【００１３】
前記球用の孔は、内部直径を有する円形の断面を有し、前記内部直径は地上ドリブルと空中ドリブルの双方において、球を保持するように適用される。本発明によりユーザはドリブル時の球制御が非常に良くなり、未熟練のユーザでも本発明のブレードを使ったスティックを使用することにより、高度の空中ドリブルを行うことが出来る。さらに本発明のブレードによりパスを空中で容易に捕球できる。
【００１４】
さらなる本発明の実施形態によれば、前記球用の孔は、さらに、入口直径を有する入口面と出口直径を有する出口面とからなり、内部直径は、入口面と出口面との間に位置し、内部直径は、球用の孔の入口直径および出口直径より小さい。このような構成の球用の孔は、例えば、内部直径と入口面との間または内部直径と出口面との間に球が保持された場合、優れた球の制御を保証する。
【００１５】
前記球用の孔は、表面により、所謂球表面により、本質的に凹面の入口面と内部直径との間で球の形に合わせることが出来る。これにより、球貫通孔は球を抱くように保持することができ、さらにドリブル性能を向上させる。内部直径と出口面との間の表面は本質的に凹面であってもよい。ブレードの両側が捕球に使用可能なことにより、ブレードはさらに機能的になる。凹面形状により、内部直径と入口面との間および内部直径と出口面との間の球表面は本質的に球の形状に従う形状を有する。
【００１６】
さらなる本発明の実施形態によれば、球表面は球の形状に本質的に従う形状であってもよい。本発明の実施形態によれば、球表面は、改良された摩擦やダンピング性能などの、特定の望ましい特性を与えるために、ブレードの材料と異なる材料から構成されてもよい。
【００１７】
球用の孔の円形断面は球とブレード間の収まりを良くし、スティックを使用するスポーツの初心者でも高度なドリブルが可能となる。これら性能は入口面と出口面を円形にすることによりさらに改善される可能性がある。
【００１８】
さらなる本発明の実施形態によれば、ブレードは、少なくともその側面の一部に沿って、入口面および出口面の円形に対応する湾曲を有する、第１または第２短手方向端からなる。このような形状は材料使用量を低減し、またユーザに従来型スティックの印象を与える。
【００１９】
球用の孔は、好適にはブレードの第１または第２短手方向端に近接して配置され、連結手段が第１短手方向端に近接して配置される場合には、好適にはもう一方の短手方向端に近接して配置される。さらに、第１および第２表面のシュート面とドリブル面（１６，１７，３６，３７）は、凹面形状であってもよい。この形状により、シュート面とドリブル面の全体が球を球用の孔に導くことに使用可能となる。このように、シュート面とドリブル面のどこで捕球したかに関係なく、例えばパスの時に、ユーザは容易に球を球用の孔に移動させ、ドリブルまたは球を送り出すことが出来る。
【００２０】
下方の長手方向エッジはその全長の少なくとも一部で溝を有する。このような溝は材料使用量を低減すると同時に、本発明のある実施形態では、最小の材料使用で幅広の下方の長手方向側面を提供する。上方の長手方向エッジは凹面形状であり、下方の長手方向エッジは凸面形状を有し、ブレードは本質的に細長い曲がった形状を有する
【００２１】
本発明のブレードは初心者が高度なドリブルと実質的に独特の空中技を行うことを可能にする。従って本発明のスティックを使用した試合は高い位置のスティックと空中シュートが多く見られる試合になり易い。結果として、競技者の手はスティックにより打撃されやすい。従って、本発明に一実施形態は、ブレードの連結手段の中に配置されたシャフトを有し、またシャフトはフェンダーを有する。フェンダーはシャフトと同じ材料で作られるか、または別の材料で作られる。好適にはフェンダーはシャフトに対して横向きに配置され、日本刀の鍔のようにシャフト周り全面に配置される。フェンダーは好適には、球を押し出すときの十分なモーメントを得るため、シャフト周りで便利な両手グリップが出来るように配置される。
【００２２】
さらに本発明は球と、請求項１に記載で球に適用されるブレードと、からなる。地上ドリブルと空中ドリブルで良い性能を得るためには、内部直径（Φｉ）は好適には球の直径の７５−９９．９％であり、より好適には８０−９９％であり、最好適には８５−９９％である。
【００２３】
本発明はシャフトとシャフト上に連結手段を解して繋がる細長いブレードと、からなるスティックにも関係している。ブレードは、上方および下方の長手方向エッジと、第１および第２短手方向端により囲まれた第１および第２表面と、からなる。
第１および第２表面は、シュート面とドリブル面と、少なくとも１つの貫通孔とからなり、貫通孔はブレードの第１および第２表面の間に拡がる。貫通孔は、球用の孔であり、球用の孔は、地上ドリブルと空中ドリブルの双方において球用の孔が球を保持するように設置された、少なくとも１つの直径を有する。
好適には、球に球用の孔が適用されている、ブレードを有する球用のスティック用の球がある。好適には球とスティックはキットを構成する。
【図面の簡単な説明】
【００２４】
【図１】本発明の１実施形態に基づくブレードを有するスティックの一部を第１表面から見た図である。
【図２】本発明の１実施形態に基づくブレードを有するスティックの一部を水平に置いた状態で見た図である。
【図３】図２における線Ａ−Ａでのブレードの切断面を示す図である。
【発明を実施するための形態】
【００２５】
好ましい実施形態の詳細説明
本発明は以下に事例をもってより詳しく記述される。
図１は本発明の実施形態に基づくブレード１０を示す図である。ブレード１０は、上方および下方の長手方向エッジ１３，１４と第１、第２短手方向端１５，１６に囲まれた第１、第２表面１１，１２を有する本質的に縦長の形状から構成されている。前記第１、第２表面１１，１２はシュート面１６とドリブル面１７からなり、図示された実施形態では本質的に凹面形状を有する。凹面は平面である可能性もあり、好ましさの少ない実施形態では凸面である。さらに、前記第１、第２表面１１，１２は、シュートをするか友軍の選手にパスする時に、ブレード上の空気抵抗を最小化するための、複数の貫通する空気孔１８を有してもよい。
【００２６】
複数の貫通する空気孔１８はまた、ブレードの軽量化ひいてはスティックの軽量化に貢献する。
さらに連結手段１９は上方長手方向エッジ１３と第１短手方向端１５に連結するように配置されている。シャフトは連結手段に連結されてよい。このシャフトはフェンダー（不図示）を有してもよい。連結手段は、シャフトとブレード１０の連結のため、シャフトが挿入されるように有孔円筒パイプに成形されてもよい。他の方法として、連結手段は、たとえば表面を有し、そこに例えばネジ等で取り付けられる、従来形のいずれかでよい。
【００２７】
わずかに凸面に曲がる下方長手方向エッジ１４は第１短手方向端１５まで曲線で伸長し、連結手段１９で終了する。連結手段１９からは、上方長手方向エッジ１３が凹面をもって第２短手方向端１６につながり、第２短手方向端１６はほぼ円周を描いて下方長手方向エッジ１４に連結する。ブレード１０はこのように、本質的に曲線の外形を有する。言うまでも無く、上方および下方の長手方向エッジ１３，１４が直線であっても、角度を有していても本発明の範囲内である。同様に第１、第２短手方向端１５，１６も直線であっても、角度を有していてもよい。
【００２８】
地上および空中でのドリブル時に球を保持する、球貫通孔２０は第１、第２表面１１、１２に配置される。球貫通孔２０は図１では円形であり、入口直径Φｉｄを有する入口面２１および出口直径Φｕｄを有する出口面２２からなり、入口直径Φｉｄを有する入口面２１はブレードの第１表面に、出口直径Φｕｄを有する出口面２２は第２表面に配置される。図１では入口直径Φｉｄと出口直径Φｕｄは等しいが、これは異なっていてもよい。即ち、入口面２１と出口面２２が同じ形状でないように球貫通孔２０を設計してもよい。図示された本実施形態では、入口面２１と出口面２２は円形であるが、楕円またはその類似の形状であってもよい。
【００２９】
さらに、球貫通孔２０は入口面２１と出口面２２との間に入口直径Φｉｄおよび出口直径Φｕｄより小さい内部直径Φｉを有する。ドリブルの間、球を保持するのは大概内部直径Φｉである。しかし、ある好ましい実施形態では、入口直径Φｉｄを有する入口面２１と、出口直径Φｕｄを有する出口面２２は球の適正位置での保持を補助する。
【００３０】
球貫通孔２０は第２短手方向端１６にもっと近づいてもよいが、その場合球貫通孔２０はシュート面１６とドリブル面、１７上方および下方の長手方向エッジ１３，１４、好適にはほぼ円形の第２短手方向端１６によりその位置が制限される。しかし、球貫通孔２０が、第１短手方向端１５の近くに配置されたり、ブレード１０の中央に配置されることも本発明の請求範囲内である。
【００３１】
本発明の実施形態の１つでは、球貫通孔の入口面２１と、出口面２２は内部直径中心点Φｉｍｐと内部直径Φｉに関連して移動する。図１では入口面２１と、出口面２２が内部直径Φｉにより移動させられるかが示されている。即ち、内部直径Φｉの中心点Φｉｍｐはブレード内で入口直径Φｉｄおよび出口直径Φｕｄの中心点ｍｐより第１短手方向端１５の近くに寄って配置されている。その移動は図１に図示されるように、長手方向中心線Ｍに沿った距離ｓによって示される。しかし移動は長手方向中心線Ｍに沿う必要は無く、長手方向中心線Ｍからある角度を有する線上であってもよい。距離ｓは好適には１−２５ｍｍで、より好適には１−２０ｍｍであり、最適には２−１５ｍｍである。この移動はユーザが本ブレードで容易に球をすくい上げることを可能にする特殊な形状の球貫通孔を提供する。この特性はユーザが球に走り寄り、走りながら球をすくい上げる時に極めて重要となる。
【００３２】
図２は本発明にもとづく水平に置いたブレード３０を有するスティック一部の斜視図である。ブレード３０は、上方および下方の長手方向エッジ３３，３４と第１、第２短手方向端３５，３６に囲まれた第１、第２表面３１，３２を有する本質的に縦長の形状から構成されている。前記第１、第２表面３１，３２はシュート面３６とドリブル面３７からなり、図示された実施形態では本質的に凹面形状を有する。凹面は平面である可能性もあり、好ましさの少ない実施形態では凸面である。さらに、前記第１、第２表面３１，３２は、シュートをするか友軍の選手にパスする時に、ブレード上の空気抵抗を最小化するための、複数の貫通する空気孔３８を有してもよい。
【００３３】
複数の貫通する空気孔３８はまた、ブレードの軽量化ひいてはスティックの軽量化に貢献する。
さらに連結手段３９は上方長手方向エッジ３３と第１短手方向端３５に連結するように配置されている。シャフトは連結手段に連結されてよい。このシャフトはフェンダー（不図示）を有してもよい。連結手段３９は、シャフトとブレード３０の連結のため、シャフトが挿入されるように有孔円筒パイプに成形されてもよい。他の方法として、連結手段は、たとえば表面を有し、そこに例えばネジ等で取り付けられる、従来形のいずれかでよい
【００３４】
さらに、地上および空中でのドリブル時に球を保持する、球貫通孔４０は第１、第２表面３１、３２に配置される。球貫通孔４０は図では円形であり、入口直径Φｉｄを有する入口面４１および出口直径Φｕｄを有する出口面４２からなり、入口直径Φｉｄを有する入口面４１はブレードの第１表面３１に、出口直径Φｕｄを有する出口面４２は第２表面３２に配置される。図では入口面４１および出口面４２は円形であるが、楕円またはその類似の形状であってもよい。
【００３５】
さらに、球貫通孔４０は入口面４１と出口面４２との間に入口直径Φｉｄおよび出口直径Φｕｄより小さい内部直径Φｉを有する。ドリブルの間、球を保持するのは大概内部直径Φｉである。しかし、ある好ましい実施形態では、入口直径Φｉｄを有する入口面２１と、出口直径Φｕｄを有する出口面２２は球の適正位置での保持を補助する。
【００３６】
生産材料の節約と幅広の下方の長手方向エッジ３４を得るための溝４３は、少なくとも下方の長手方向エッジ３４に渡って伸長する。溝４３は少なくとも第１短手方向端３５の一部にまで伸長する。幅広の下方の長手方向エッジ３４は球を球貫通孔４０に置くために球をスティックですくい上げることを容易にし、これによりドリブルとスティックによる高度な空中動作、即ち所謂「ソロ」を可能にする。
好適には、下方の長手方向エッジ３４の幅は５−４０ｍｍで、より好適には５−２５ｍｍである。下方の長手方向エッジ３４の幅は好適には第２短手方向端３６まで続き、下方の長手方向エッジ３４と第２短手方向端３６の幅が同じとなる。第２短手方向端３６は上方の長手方向エッジ３３に遷移してゆくにつれ好適には狭くなる。
【００３７】
さらにもう１つの本発明の実施形態では、シュート面とドリブル面３６，３７は本質的に凹面形状である。凹面形状という意味は、ブレード３０はその中心部で上方および下方の長手方向エッジ３３，３４に比べ薄いということである。この実施形態ではシュート面とドリブル面３６，３７の全体が球を球貫通孔３０に動かす導入経路として機能しており、これは従来技術にはない改良である。全体が球を球貫通孔４０に動かす導入経路としてシュート面とドリブル面３６，３７を有することにより、球は例えば、シュート面とドリブル面３６，３７全体を使って、空中で受け取ることが出来、その後球を球貫通孔４０に導くことが出来る。このように本発明の本実施形態は、「ゾロ」をするために球をスティックで捕球することに慣れていない競技者に有利である。
【００３８】
図３はブレード３０の線Ａ−Ａに沿った断面図である。図には入口直径Φｉｄと内部直径Φｉを有する入口面４１および出口直径Φｕｄを有する出口面４２が示されている。さらに第１、第２表面３１，３２の一部、上方および下方の長手方向エッジ３３、３４の一部、第２短手方向端３６の内側、溝４３、など図２で既に示された部位が示されている。入口面４１と内部直径Φｉとの間に第１球面４５が出口面４２と出口直径Φｕｄとの間に第２球面４６がある。球面４５，４６は球が捕球されたとき、例えば、パスまたは空中で球貫通孔により捕球された時、球をダンプし保持する補助をする。
【００３９】
球面４５，４６は図示された実施形態のように、球を球貫通孔４０にてより良く保持するために、凹面であってよい。球面４５，４６の凹面形状は球を包み込み、球をより良い握りで保持することを可能にする。好適には球面４５，４６の表面は球の丸い表面に適応している。本発明の１実施形態では球面４５，４６の表面はブレード３０とは異なる材質から出来ている。例えば、球面４５，４６の表面はブレード３０が生産されている材質より柔らかい材質で被覆されている。例えば、球面４５，４６の表面は、表面を柔らかくし、高い摩擦を生むことにより球を球の直径よりに保持し易くするために、ポリウレタンのような発泡材で被覆されている。
【００４０】
他の本発明の実施形態では、発明は球から構成され、ここにブレードの入口直径Φｉｄと出口直径Φｕｄ内部直径Φｉが球の直径より大きく、しかし内部直径Φｉは球の直径より小さい。この実施形態ではパスにおいて球が比較的容易に球貫通孔によって捕捉される。
【００４１】
本発明によるブレードは主にプラスチック素材により製造され、特に、ポリプロパン、ポリエタン、ポリウレタン、ポリテトラフルオロエチレン、ポリスチレン、ポリアミド、ポリエステル、ポリシロキサン、ポリブタジエン、およびそれらの化合物などの熱硬化性素材により製造される。好適にはそれらの化合物はＨＤＰＥ（高密度ポリエチレン）またはＨＤＰＰ（高密度ポリプロピレン）が使われる。材質使用量との関係でよい結果を得るためには、本発明のブレードは重量が４０−３００グラムでなければならず、好適には５０−２００グラムで、最適には５０−１５０グラムである。当然のことだが、木または金属がブレードに使用されても、前述の材質よりは一般的には特性が劣るが、本発明の請求の範囲である。
【符号の説明】
【００４２】
１０，３０：ブレード
１１、３１：第１表面
１２、３２：第２表面
１３，３３：上方長手方向エッジ
１４、３４：下方長手方向エッジ
１５，３５：第１短手方向端
１６，３６：第２短手方向端
１６：シュート面
１７：ドリブル面
１９，３９  連結手段
２０，４０：球貫通孔
２１，４１：入口面
２２，４２：出口面
Φｉｄ：入口直径
Φｕｄ：出口直径
Φｉ：内部直径
Φｉｍｐ：内部直径中心点
ｍｐ：入口直径および出口直径中心点          
【図１】
2010508887.tif 000003
【図２】
2010508887.tif 000004
【図３】
2010508887.tif 000005
【国際調査報告】
2010508887.tif 000006
2010508887.tif 000007
2010508887.tif 000008